(57)【特許請求の範囲】
【請求項１】
生体データを測定する生体データ測定装置であって、
時刻を出力する時計部と、
記憶部と、
前記生体データの測定タイミングにおいて前記時計部から出力された時刻である第１の時刻と、所定の時間間隔で、前記時計部から出力された時刻である第２の時刻とを前記記憶部に記憶させる制御部と、を備え、
前記制御部は、前記所定の時間間隔を、時間帯に応じて異ならせ、前記時計部の時計合わせが要求されると、前記記憶部に記憶されている前記第１の時刻および前記第２の時刻のうち、最新の時刻を前記時計部の時計合わせにおける初期値として設定する、生体データ測定装置。
【発明の詳細な説明】
【技術分野】
【０００１】
本発明は、生体データ測定装置に関する。
【背景技術】
【０００２】
測定対象者の生体データ（血圧、体温、体重あるいは脈拍など）を測定する生体データ測定装置の中には、時刻を出力する時計機能を備えるものがある。例えば、特許文献１には、時計機能を有し、測定対象者の体温の測定結果と、体温の測定タイミングにおいて時計機能により出力された時刻とを対応付けて記憶する体温計が記載されている。
【先行技術文献】
【特許文献】
【０００３】
【特許文献１】特許第４７７８３０７号
【発明の概要】
【発明が解決しようとする課題】
【０００４】
生体データ測定装置の多くは電池を内蔵し、電池から供給される電力により動作する。このような生体データ測定装置では、電池残量の低下に伴って、電池交換を行う必要がある。通常、生体データ測定装置の電池交換を行うと、時計機能がリセットされ、時計機能により出力される時刻を設定する（現在時刻に合わせる）時計合わせを行う必要がある。時計合わせの際には、例えば、生体データ測定装置が備える表示部に、時計合わせの初期値として予め定められた時刻（例えば、０時０分）が表示され、その初期値を増減させることで時計機能により出力される時刻が設定される。このような時計合わせはユーザにとって手間のかかる作業であり、時計合わせの手間の削減が求められている。
【０００５】
上記のような問題点に鑑みてなされた本発明の目的は、時計合わせの手間の削減を図ることができる生体データ測定装置を提供することにある。
【課題を解決するための手段】
【０００６】
本発明の一実施形態に係る生体データ測定装置は、
生体データを測定する生体データ測定装置であって、
時刻を出力する時計部と、
記憶部と、
前記生体データの測定タイミングにおいて前記時計部から出力された時刻である第１の時刻と、所定の時間間隔で、前記時計部から出力された時刻である第２の時刻とを前記記憶部に記憶させる制御部と、を備え、
前記制御部は、前記所定の時間間隔を、時間帯に応じて異ならせ、前記時計部の時計合わせが要求されると、前記記憶部に記憶されている前記第１の時刻および前記第２の時刻のうち、最新の時刻を前記時計部の時計合わせにおける初期値として設定する。
【発明の効果】
【０００７】
本発明によれば、生体データ測定装置における時計合わせの手間の削減を図ることができる。
【図面の簡単な説明】
【０００８】
【図１】本発明の一実施形態に係る生体データ測定装置としての血圧計の構成例を示す図である。
【図２】図１に示す制御部の、第１の時刻および第２の時刻の記憶に関する動作の一例を示すフローチャートである。
【図３】図１に示す制御部の、時計部の時計合わせの際の動作の一例を示すフローチャートである。
【発明を実施するための形態】
【０００９】
以下、本発明を実施するための形態について、図面を参照しながら説明する。各図中、同一符号は、同一または同等の構成要素を示している。
【００１０】
図１は、本発明の一実施形態に係る生体データ測定装置としての血圧計１００の構成例を示す図である。本実施形態に係る血圧計１００は、時刻を出力する時計機能を有し、測定対象者の血圧を生体データとして測定するものである。なお、本実施形態においては、生体データ測定装置が血圧計１００である例を用いて説明するが、これに限られるものではない。本実施形態に係る生体データ測定装置は、脈拍を測定する脈拍計、体温を測定する体温計あるいは体重を測定する体重計など、測定対象者の生体データを測定可能な種々の装置であってよい。
【００１１】
図１に示す血圧計１００は、カフ１０１と、ポンプ１０３と、ポンプ駆動回路１０４と、エアバルブ１０５と、エアバルブ駆動回路１０６と、圧力センサ１０７と、Ａ／Ｄコンバータ１０８と、操作部１０９と、時計部１１０と、表示部１１１と、記憶部１１２と、通信部１１３と、制御部１１４とを備える。
【００１２】
カフ１０１は、測定対象者の血圧の測定部位（例えば、手首）に巻き付けるなどして、測定部位に当接して保持可能なように構成される。カフ１０１は、阻血袋１０２を備える。阻血袋１０２は、ポンプ１０３から供給される圧縮空気により膨張し、測定対象者の測定部位を阻血する。
【００１３】
ポンプ１０３は、ポンプ駆動回路１０４から出力される駆動信号により駆動され、圧縮空気を阻血袋１０２に供給する。
【００１４】
ポンプ駆動回路１０４は、制御部１１４の制御に従い、ポンプ１０３を駆動する駆動信号を生成し、ポンプ１０３に出力する。
【００１５】
エアバルブ１０５は、エアバルブ駆動回路１０６から出力される駆動信号により駆動され、開閉状態が変化する。エアバルブ１０５が閉状態では、阻血袋１０２内の圧力が維持される。また、エアバルブ１０５が開状態では、阻血袋１０２内の圧力が減圧される。
【００１６】
エアバルブ駆動回路１０６は、制御部１１４の制御に従い、エアバルブ１０５を駆動する駆動信号を生成し、エアバルブ１０５に出力する。
【００１７】
圧力センサ１０７は、阻血袋１０２の圧力を検出し、検出した圧力を示す圧力検出信号（アナログ信号）をＡ／Ｄコンバータ１０８に出力する。
【００１８】
Ａ／Ｄコンバータ１０８は、圧力センサ１０７から出力された圧力検出信号をデジタル信号に変換して、制御部１１４に出力する。
【００１９】
操作部１０９は、ユーザによる操作入力を受け付け、入力された操作に応じた信号を制御部１１４に出力する。操作部１０９は、例えば、血圧測定の開始／停止を指示する操作入力、測定された生体データの外部装置２００への送信を指示する操作入力などを受け付ける。操作部１０９は、例えば、スイッチである。
【００２０】
時計部１１０は、時刻を制御部１１４に出力する。時計部１１０は、出力する時刻を設定する時計合わせが可能であり、時計合わせにより設定された時刻からの経過時間に応じた時刻を出力する。
【００２１】
表示部１１１は、制御部１１４の制御に従い、種々の情報を表示する。表示部１１１は、例えば、測定された生体データを表示する。また、表示部１１１は、例えば、時計部１１０が出力する時刻、あるいは、時計部１１０の時計合わせのための時刻を表示する。表示部１１１は、例えば、液晶ディスプレイなどである。
【００２２】
記憶部１１２は、例えば、半導体メモリ、磁気メモリまたは光メモリなどであるが、これらに限定されない。記憶部１１２は、例えば、主記憶装置、補助記憶装置またはキャッシュメモリとして機能してよい。記憶部１１２は、血圧計１００の動作に用いられる任意の情報を記憶する。記憶部１１２は、例えば、制御部１１４の動作を制御するプログラムを記憶する。また、記憶部１１２は、測定された測定データを記憶する。記憶部１１２は、測定された測定データと、その測定データの測定タイミングにおいて時計部１１０から出力された時刻とを対応付けて記憶してもよい。
【００２３】
通信部１１３は、有線通信または無線通信を介して、生体データを管理する外部装置２００と通信可能な通信モジュールを含む。外部装置２００は、スマートフォン、ＰＣ（Personal Computer）、タブレット端末およびサーバ装置など種々の装置である。通信部１１３は、例えば、４Ｇ（4th Generation）および５Ｇ（5th Generation）などの移動体通信規格に対応する通信モジュールを含んでよい。また、通信部１１３は、例えば、ＮＦＣ(Near Field Communication)、Ｂｌｕｅｔｏｏｔｈ（登録商標）あるいはＲＦＩＤ（Radio Frequency Identifier）などの近距離無線通信に対応する通信モジュールを含んでよい。また、通信部１１３は、例えば、ＵＳＢ（Universal Serial Bus）接続あるいは有線ＬＡＮ（Local Area Network）接続などに対応する通信モジュールを含んでよい。通信部１１３は、制御部１１４の制御に従い、外部装置２００と通信を行う。例えば、通信部１１３は、測定された生体データを、外部装置２００に送信する。
【００２４】
制御部１１４は、１つ以上のプロセッサである。プロセッサとしては、ＣＰＵ（Central Processing Unit）などの汎用プロセッサまたは特定の処理に特化した専用プロセッサを使用することができる。制御部１１４には、１つ以上の専用回路が含まれてよい。また、制御部１１４において、１つ以上のプロセッサを１つ以上の専用回路に置き換えてもよい。専用回路としては、例えば、ＦＰＧＡ（Field-Programmable Gate Array）またはＡＳＩＣ（Application Specific Integrated Circuit）を使用することができる。制御部１１４は、血圧計１００全体の動作を制御する。
【００２５】
制御部１１４は、例えば、操作部１０９を介して、血圧の測定の開始を指示する操作が入力されると、ポンプ駆動回路１０４にポンプ１０３を駆動させる。ポンプ駆動回路１０４によりポンプ１０３が駆動され、阻血袋１０２に圧縮空気が供給される。制御部１１４は、例えば、圧力センサ１０７から出力される圧力検出信号に基づき、阻血袋１０２内の圧力が所定値になるまでポンプ駆動回路１０４にポンプ１０３による圧縮空気の供給を続けさせる。制御部１１４は、圧力検出信号に基づき、阻血袋１０２内の圧力が所定値に達したと判定すると、ポンプ駆動回路１０４にポンプ１０３の駆動を停止させる。また、制御部１１４は、エアバルブ駆動回路１０６にエアバルブ１０５を駆動させ、エアバルブ１０５を閉状態にする。エアバルブ１０５が閉状態になることで、阻血袋１０２内の圧力が所定値の状態で保持され、測定対象者の測定部位が阻血される。この状態で、測定対象者の血圧が測定される。
【００２６】
血圧の測定時には、制御部１１４は、Ａ／Ｄコンバータ１０８を介して圧力センサ１０７から主力される圧力検出信号に基づいて、脈波を検出する。脈波は、圧力検出信号に基づいて、阻血袋１０２内の圧力の変化を算出することによって検出することができる。制御部１１４は、算出した脈波に基づいて、最高血圧値および最低血圧値を測定することができる。
【００２７】
制御部１１４は、測定された生体データを記憶部１１２に記憶させる。また、制御部１１４は、生体データの測定タイミングにおいて時計部１１０から出力された時刻（第１の時刻）を記憶部１１２に記憶させる。また、制御部１１４は、所定のタイミングごと（例えば、１日に一回あるいは一時間に一回など）に、時計部１１０から出力された時刻（第２の時刻）を記憶部１１２に記憶させる。制御部１１４は、生体データと、その生体データの測定タイミングにおいて時計部１１０から出力された時刻とを対応付けて、記憶部１１２に記憶させてよい。制御部１１４は、測定された生体データを表示部１１１に表示させてよい。
【００２８】
血圧の測定の完了後、制御部１１４は、エアバルブ駆動回路１０６にエアバルブ１０５を駆動させ、エアバルブ１０５を開状態にする。エアバルブ１０５が開状態になることで、阻血袋１０２内の圧力が減圧され、測定対象者の測定部位の阻血が解除される。
【００２９】
次に、図２に示すフローチャートを参照して、第１の時刻および第２の時刻の記憶に関する制御部１１４の動作について説明する。
【００３０】
制御部１１４は、生体データの測定を行ったか否かを判定する（ステップＳ１０１）。
【００３１】
生体データの測定を行ったと判定した場合（ステップＳ１０１：Ｙｅｓ）、制御部１１４は、生体データの測定タイミングにおいて時計部１１０から出力された時刻である第１の時刻を記憶部１１２に記憶させる（ステップＳ１０２）。
【００３２】
ステップＳ１０１の処理の後、あるいは、生体データの測定を行っていないと判定した場合（ステップＳ１０１：Ｎｏ）、制御部１１４は、予め定められた所定のタイミングであるか否かを判定する（ステップＳ１０３）。所定のタイミングは、例えば、１日に一回あるいは１時間に一回などの任意の時間間隔ごとのタイミングである。
【００３３】
所定のタイミングでないと判定した場合（ステップＳ１０３：Ｎｏ）、制御部１１４は、ステップＳ１０１の処理に戻る。
【００３４】
所定のタイミングであると判定した場合（ステップＳ１０３：Ｙｅｓ）、制御部１１４は、時計部１１０から出力された時刻である第２の時刻を記憶部１１２に記憶させ（ステップＳ１０４）、処理を終了する。
【００３５】
制御部１１４は、上述した処理を、生体データの測定が行われるごとに、また、第２の時刻を記憶する時間間隔よりも短い所定の時間間隔で繰り返す。これにより、最新の生体データの測定タイミングにおける時刻（第１の時刻）および最新の所定のタイミングにおける時刻（第２の時刻）を記憶部１１２に記憶させることができる。
【００３６】
次に、図３に示すフローチャートを参照して、時計部１１０の時計合わせの際の制御部１１４の動作について説明する。
【００３７】
制御部１１４は、時計部１１０の時計合わせを行うか否かを判定する（ステップＳ２０１）。制御部１１４は、例えば、操作部１０９を介して時計部１１０の時計合わせを指示する操作が入力されたか否かにより、時計部１１０の時計合わせを行うか否かを判定する。
【００３８】
時計合わせを行わないと判定した場合（ステップＳ２０１：Ｎｏ）、制御部１１４は、ステップＳ２０１の処理を繰り返す。
【００３９】
時計合わせを行うと判定した場合（ステップＳ２０１：Ｙｅｓ）、制御部１１４は、記憶部１１２に直近に記憶された第１の時刻および第２の時刻を取得する（ステップＳ２０２）。
【００４０】
次に、制御部１１４は、取得した第１の時刻および第２の時刻を比較し、第１の時刻が最新の時刻であるか否かを判定する（ステップＳ２０３）。
【００４１】
第１の時刻が最新の時刻であると判定した場合（ステップＳ２０３：Ｙｅｓ）、制御部１１４は、第１の時刻を時計合わせの初期値として出力する。具体的には、制御部１１４は、第１の時刻を時計合わせの初期値として表示部１１１に表示させる。
【００４２】
第１の時刻が最新の時刻でないと判定した場合（ステップＳ２０３：Ｎｏ）、第２の時刻が最新の時刻であるので、制御部１１４は、第２の時刻を時計合わせの初期値として設定する。具体的には、制御部１１４は、第２の時億を時計合わせの初期値として表示部１１１に表示させる。
【００４３】
このように本実施形態においては、直近の生体データの測定タイミングにおいて時計部１１０から出力された第１の時刻、および、直近の所定のタイミングにおいて時計部１１０から出力された第２の時刻のうち、最新の時刻を時計合わせの初期値として設定する。そのため、第１の時刻および第２の時刻のうち、時計合わせを行うタイミングにより近い時刻が時計合わせの初期値として設定される。したがって、ユーザが時計合わせのために行う操作が少なくて済むので、時計合わせの手間の削減を図ることができる。
【００４４】
また、生体データの測定が行われた第１の時刻を記憶することで、所定のタイミングごとに記憶される第２の時刻の間を、第１の時刻で補間することができる。そのため、第２の時刻を記憶する所定のタイミングの間隔を長くしても、ユーザの時計合わせの手間が増大する可能性を低減することができる。また、第２の時刻を記憶する所定のタイミングの間隔を長くすることで、記憶容量および消費電力の低減を図ることができる。
【００４５】
なお、第２の時刻を記憶する所定のタイミングは、一定間隔のタイミングである必要はない。すなわち、制御部１１４は、第２の時刻を記憶部１１２に記憶させる所定のタイミングの頻度を変更してもよい。一般に、血圧は、朝と夜とにそれぞれ複数回（例えば、３回）測定するのが好ましいことが知られている。このような測定が行われると、血圧の測定タイミングにおいて第１の時刻が記憶されるので、朝および夜の時間帯には、比較的短い時間間隔で第１の時刻が記憶される。そのため、朝および夜の時間帯に時計合わせを行う場合、時計合わせを行うタイミングに近い時刻が時計合わせの初期値として設定される可能性が高い。一方、例えば、昼間の時間帯に時計合わせを行う場合、時計合わせを行うタイミングからは長時間が経過した、朝の時間帯に記憶された第１の時刻が、時計合わせの初期値として設定されてしまう可能性がある。そこで、制御部１１４は、例えば、朝および夜の時間帯は、第２の時刻を記憶する所定のタイミングを長くし、昼の時間帯は、第２の時刻を記憶する所定のタイミングを短くしてもよい。こうすることで、第２の時刻を記憶する回数を減らし、記憶容量および消費電力の低減を図ることができる。
【００４６】
また、制御部１１４は、血圧計１００（生体データ測定装置）における所定のイベントの発生タイミングを所定のタイミングとして、第２の時刻を記憶部１１２に記憶させてよい。例えば、制御部１１４は、血圧計１００に搭載された電池の残量が、電池の交換が必要な所定値以下になるというイベントの発生に応じて、時計部１１０から出力された時刻を第２の時刻として記憶部１１２に記憶させてもよい。血圧計１００に搭載された電池の残量が少なくなると、制御部１１４は、間もなく電池交換が行わる、すなわち、時計合わせが必要になると、判定することができる。そのため、血圧計１００に搭載された電池の残量が所定値以下になったタイミングにおける時刻を第２の時刻として記憶することで、時計合わせを行うタイミングに近い時刻を時計合わせの初期値として設定することができる。
【００４７】
また、制御部１１４は、通信部１１３を介した外部装置２００との通信の発生タイミングを所定のタイミングとして、第２の時刻を記憶部１１２に記憶させてよい。例えば、制御部１１４は、通信部１１３を介して、外部装置２００から時刻（第３の時刻）を取得し、第１の時刻および第２の時刻および第３の時刻のうち、最新の時刻を時計合わせの初期値として設定してもよい。
【００４８】
このように本実施形態においては、生体データ測定装置としての血圧計１００は、時計部１１０と、記憶部１１２と、生体データの測定タイミングにおいて時計部１１０から出力された時刻である第１の時刻と、所定のタイミングごとに、時計部１１０から出力された時刻である第２の時刻とを記憶部１１２に記憶させる制御部１１４とを備える。制御部１１４は、時計部１１０の時計合わせが要求されると、記憶部１１２に記憶されている第１の時刻および第２の時刻のうち、最新の時刻を時計部１１０の時計合わせにおける初期値として設定する。
【００４９】
第１の時刻および第２の時刻のうち、時計合わせを行うタイミングにより近い時刻が時計合わせ初期値として設定される。そのため、ユーザが時計合わせのために行う操作が少なくて済むので、時計合わせの手間の削減を図ることができる。
【００５０】
上述の実施形態は代表的な例として説明したが、本発明の趣旨および範囲内で、多くの変更および置換が可能であることは当業者に明らかである。したがって、本発明は、上述の実施形態によって制限するものと解するべきではなく、特許請求の範囲から逸脱することなく、種々の変形および変更が可能である。例えば、実施形態の構成図に記載の複数の構成ブロックを１つに組み合わせたり、あるいは１つの構成ブロックを分割したりすることが可能である。
【符号の説明】
【００５１】
１００    血圧計（生体データ測定装置）
１０１    カフ
１０２    阻血袋
１０３    ポンプ
１０４    ポンプ駆動回路
１０５    エアバルブ
１０６    エアバルブ駆動回路
１０７    圧力センサ
１０８    Ａ／Ｄコンバータ
１０９    操作部
１１０    時計部
１１１    表示部
１１２    記憶部
１１３    通信部
１１４    制御部
２００    外部装置
【要約】
【課題】生体データ測定装置における時計合わせの手間の削減を図る。
【解決手段】本発明に係る生体データ測定装置１００は、時刻を出力する時計部１１０と、記憶部１１２と、生体データの測定タイミングにおいて時計部１１０から出力された時刻である第１の時刻と、所定のタイミングごとに、時計部１１０から出力された時刻である第２の時刻とを記憶部１１２に記憶させる制御部１１４とを備える。制御部１１４は、時計部１１０の時計合わせが要求されると、記憶部１１２に記憶されている第１の時刻および第２の時刻のうち、最新の時刻を時計部１１０の時計合わせにおける初期値として設定する。
【選択図】図１【図１】
0006816316.tif 000002
【図２】
0006816316.tif 000003
【図３】
0006816316.tif 000004